(57)【要約】  【課題】  環境効果が高く、ユーザにとってはコストアップを抑えつつ快適に高精細の映像鑑賞ができる再生システムを提供する。  【解決手段】  ＤＶＤフロントエンド２でディスクから読み取られ、ＳＤ画像伸張部５で伸張され、画像補正部６で補正されたＳＤ画像フレームが拡大合成部９でＨＤ画像の解像度に拡大され、差分フレーム配信サーバ１３から配信される差分フレームは差分フレーム伸張部８で伸張され、拡大合成部９は上記拡大されたＳＤ画像フレームと伸張された差分フレームとを合成しＨＤ画像フレームを生成し、ＨＤ画像フレームが画像出力部１２を介して表示装置１４に出力される。【選択図】      図１
2006352778.tif 000002
【特許請求の範囲】
【請求項１】
ディスクに記録された情報に基づき生成される所定の解像度をもつ第一の画像情報を、
該第一の画像情報よりも高い解像度をもつ第二の画像情報の解像度に拡大処理して拡大画
像情報を生成する拡大手段と、
サーバと通信を行う通信手段と、
該通信手段が前記サーバから受信する情報に基づく前記第二の画像情報と前記拡大画像
情報の差分である差分画像情報と、前記拡大手段が生成した前記拡大画像情報とを合成処
理して前記第二の画像情報を生成する合成手段と、
該合成手段が生成した前記第二の画像情報に基づく表示信号を表示手段に出力する表示
出力手段と、を備え、
前記通信手段が前記サーバに情報の配信要求をし、その時から所定の時間が経過するま
でに前記サーバから前記情報を前記通信手段が受信しない場合は、前記合成手段は合成処
理せず、前記表示出力手段は前記第一の画像情報に基づく表示信号を前記表示手段に出力
し、
画像の早送り再生および／または巻戻し再生のとき、前記表示出力手段は前記ディスク
に記録された情報に基づき生成される画像情報に基づく表示信号を前記表示手段に出力し
、
前記通信手段は、前記ディスクに記録されたＣＳＳタイトルキーおよび／またはディス
ク種別情報に基づき前記サーバと接続認証を行うことを特徴とする再生システム。
【請求項２】
ディスクに記録された情報に基づき生成される所定の解像度をもつ第一の画像情報を、
該第一の画像情報よりも高い解像度をもつ第二の画像情報の解像度に拡大処理して拡大画
像情報を生成する拡大手段と、
サーバと通信を行う通信手段と、
該通信手段が前記サーバから受信する情報に基づく前記第二の画像情報と前記拡大画像
情報の差分である差分画像情報と、前記拡大手段が生成した前記拡大画像情報とを合成処
理して前記第二の画像情報を生成する合成手段と、
該合成手段が生成した前記第二の画像情報に基づく表示信号を表示手段に出力する表示
出力手段と、を備えることを特徴とする再生システム。
【請求項３】
前記通信手段が前記サーバに情報の配信要求をし、その時から所定の時間が経過するま
でに前記サーバから前記情報を前記通信手段が受信しない場合は、前記合成手段は合成処
理せず、前記表示出力手段は前記第一の画像情報に基づく表示信号を前記表示手段に出力
することを特徴とする請求項２に記載の再生システム。
【請求項４】
画像の早送り再生および／または巻戻し再生のとき、前記表示出力手段は前記ディスク
に記録された情報に基づき生成される画像情報に基づく表示信号を前記表示手段に出力す
ることを特徴とする請求項２に記載の再生システム。
【請求項５】
前記通信手段は、前記ディスクに記録された情報に基づき前記サーバと接続認証を行う
ことを特徴とする請求項２に記載の再生システム。
【請求項６】
前記ディスクに記録された情報は、ＣＳＳタイトルキーおよび／またはディスク種別情
報であることを特徴とする請求項５に記載の再生システム。
【発明の詳細な説明】
【技術分野】
【０００１】
本発明は、ディスクおよびネットワーク配信を用いた高解像度画像の再生システムに関
する。
【背景技術】
【０００２】
従来からＳＤ（Ｓｔａｎｄａｒｄ  Ｄｅｆｉｎｉｔｉｏｎ）画像を再生できる記録媒体
としてＤＶＤが普及しているが、ＳＤ画像よりも高解像度であるＨＤ（Ｈｉｇｈ  Ｄｅｆ
ｉｎｉｔｉｏｎ）画像を再生できる記録媒体としてＢｌｕｅ−Ｒａｙ  Ｄｉｓｃが提案さ
れている。大容量化が可能であるＢｌｕｅ−Ｒａｙ  Ｄｉｓｃによりユーザは高精細な画
像であるＨＤ画像を楽しむことができる。
【０００３】
しかし、ユーザは、既に購入したＤＶＤと同じ映像をＨＤ画像で鑑賞するためには新た
にＨＤ画像専用のディスクを購入する必要があり、ＤＶＤの廃棄による環境への悪影響や
ＨＤ画像専用のディスク購入によるコストアップが問題となる。
【０００４】
また、ＨＤ画像を再生する方法としては、サーバからＨＤ画像の再生箇所の前後のみが
バッファリングされながらネットワーク配信される方法がある。なお、特許文献１にはサ
ーバからの画像コンテンツ配信方法について開示されている。
【０００５】
しかし、上記ネットワーク配信による方法では、ネットワークの通信状況によっては再
生がとぎれる可能性があり、特に早送りや巻戻し再生のときのレスポンスは悪影響を受け
やすく、ユーザにとってストレスとなる。
【特許文献１】特開２００４−０８６２４９号公報
【発明の開示】
【発明が解決しようとする課題】
【０００６】
本発明は上記問題点を鑑みなされたものであり、環境効果が高く、ユーザにとってはコ
ストアップを抑えつつ快適に高精細の映像鑑賞ができる再生システムを提供することを目
的とする。
【課題を解決するための手段】
【０００７】
上記目的を達成するために本発明の再生システムは、ディスクに記録された情報に基づ
き生成される所定の解像度をもつ第一の画像情報を、該第一の画像情報よりも高い解像度
をもつ第二の画像情報の解像度に拡大処理して拡大画像情報を生成する拡大手段と、
サーバと通信を行う通信手段と、
該通信手段が前記サーバから受信する情報に基づく前記第二の画像情報と前記拡大画像
情報の差分である差分画像情報と、前記拡大手段が生成した前記拡大画像情報とを合成処
理して前記第二の画像情報を生成する合成手段と、
該合成手段が生成した前記第二の画像情報に基づく表示信号を表示手段に出力する表示
出力手段と、を備えることを特徴とする。
【０００８】
このような構成によれば、高解像度画像専用のディスクを製造する必要がなくなり、既
存の低解像度画像が記録されたディスクを利用して高解像度画像を再生することができる
ので、ユーザによる既存の低解像度画像が記録されたディスクの廃棄を抑え、環境効果が
高いものとなる。また、ユーザにとって新たにＨＤ画像専用のディスクを購入することに
よるコストアップも抑えることができる。
【０００９】
また、本発明の再生システムは、前記通信手段が前記サーバに情報の配信要求をし、そ
の時から所定の時間が経過するまでに前記サーバから前記情報を前記通信手段が受信しな
い場合は、前記合成手段は合成処理せず、前記表示出力手段は前記第一の画像情報に基づ
く表示信号を前記表示手段に出力することを特徴とする。
【００１０】
このような構成によれば、ネットワークの通信が混雑しても、再生がとぎれることなく
、最低限の解像度で画像が再生されるので、ユーザにとってストレスのないものとなる。
【００１１】
また、本発明の再生システムは、画像の早送り再生および／または巻戻し再生のとき、
前記表示出力手段は前記ディスクに記録された情報に基づき生成される画像情報に基づく
表示信号を前記表示手段に出力することを特徴とする。
【００１２】
このような構成によれば、ディスクに記録された情報を用いて早送り、巻戻し再生を行
うので、ネットワークの通信状況に関わらず早送り、巻戻し再生のレスポンスを良好なも
のとでき、ユーザにとってストレスのないものとなる。また、早送り、巻戻し再生時は画
像が高解像度である必要はないので、ディスクに記録された低解像度の画像による早送り
、巻戻し再生でも問題はない。
【００１３】
また、本発明の再生システムは、前記通信手段は、前記ディスクに記録された情報に基
づき前記サーバと接続認証を行うことを特徴とする。前記ディスクに記録された情報は例
えば、ＣＳＳタイトルキーやディスク種別情報であればよい。
【００１４】
このような構成によれば、正規なディスクに対してのみ高解像度画像の再生を許可する
ことができ、高解像度画像の著作権が保護される。また、不正なディスクを用いて接続認
証すれば、サーバにその旨を記録することもできるので、ユーザによる不正に対する抑止
力ともなる。
【発明の効果】
【００１５】
本発明の再生システムによれば、環境効果が高く、ユーザにとってはコストアップを抑
えつつ快適に高精細の映像鑑賞ができる。
【発明を実施するための最良の形態】
【００１６】
以下に本発明の実施形態を、図面を参照しながら説明する。図１は本発明の一実施形態
であるＤＶＤビデオプレーヤとその周辺の構成を示すブロック図である。
【００１７】
ＤＶＤビデオプレーヤ１は、ＤＶＤフロントエンド２、記憶部３、暗号復号化部４、Ｓ
Ｄ画像伸張部５、画像補正部６、ネットワークインターフェイス７、差分フレーム伸張部
８、拡大合成部９、画像出力部１２を備える。拡大合成部９はさらに拡大フレーム用記憶
部１０、差分フレーム用記憶部１１を有する。
【００１８】
ＤＶＤフロントエンド２は、ディスクローディング機構、光ピックアップ、スピンドル
モータ、ヘッドアンプ、サーボ部、再生信号処理部等を備え、挿入されたディスクに記録
された情報を光ピックアップで読み取り、読み取った情報を再生信号処理部で復調、誤り
訂正して、ＡＴＡＰＩ方式で記憶部３に転送する。
【００１９】
記憶部３は、ＤＶＤフロントエンド２が送出する暗号化された再生情報や、暗号復号化
部４が復号した再生情報を蓄積し、ＳＤ画像伸張部５に順次復号された再生情報を送出す
るバッファである。暗号復号化部４は、ＣＳＳ（Ｃｏｎｔｅｎｔ  Ｓｃｒａｍｂｌｅ  Ｓ
ｙｓｔｅｍ）方式で暗号化された再生情報を復号する。
【００２０】
ＳＤ画像伸張部５は、ＭＰＥＧ２方式で圧縮されたＳＤ画像フレームを伸張する。画像
補正部６は、伸張されたＳＤ画像フレームを時間軸上の前後画像が最適なつながりとなる
よう補正する処理を行う。
【００２１】
ネットワークインターフェイス７は、差分フレーム配信サーバ１３とＴＣＰ／ＩＰによ
りデータ送受信を行う。差分フレーム伸張部８は、ネットワークインターフェイス７から
受け取った圧縮された差分フレームを伸張する。拡大合成部９は、伸張・補正されたＳＤ
画像フレームをＨＤ解像度に拡大処理して、これを伸張された差分フレームと合成してＨ
Ｄ画像フレームを生成し、画像出力部１２に送信する。画像出力部１２は受信した画像フ
レームをアナログ信号に変換し、テレビ等の表示装置１４に出力する。
【００２２】
次に、上記のようなＤＶＤビデオプレーヤ１の再生動作について、図２のフローチャー
トに沿って説明する。
【００２３】
まず、ステップＳ１で、ディスクがＤＶＤフロントエンド２のディスクローディング機
構によりＤＶＤビデオプレーヤ１に挿入される。
【００２４】
そしてステップＳ２で、挿入されたディスク内周側の領域であるリードイン領域に記録
されたディスク種別情報をＤＶＤフロントエンド２が読み取り、挿入されたディスクの種
別が確認される。ＤＶＤの種別には、ＤＶＤ−ＲＯＭ、ＤＶＤ−Ｒ、ＤＶＤ＋Ｒ、ＤＶＤ
−ＲＷ、ＤＶＤ＋ＲＷ等がある。
【００２５】
次にステップＳ３で、ディスクに記録されたＣＳＳ方式で暗号化されたタイトルキーを
暗号復号化部４が復号する。ＣＳＳとは、ＤＶＤビデオに採用されている著作権保護のた
めの暗号化方式である。ＤＶＤフロントエンド２によりディスクから読み取られた暗号化
されたディスクキーおよびタイトルキーが暗号復号化部４に送られる。暗号復号化部４は
、該暗号復号化部４が有するマスターキーで暗号化されたディスクキーを復号し、復号し
たディスクキーで暗号化されたタイトルキーを復号する。この復号されたタイトルキーに
よってディスクに記録された暗号化された画像情報を復号することができる。
【００２６】
そしてステップＳ４で、ステップＳ２およびステップＳ３で得られたディスク種別情報
およびタイトルキーがネットワークインターフェイス７を介して認証要求信号と共に差分
フレーム配信サーバ１３に送信され、接続認証が開始する。差分フレーム配信サーバ１３
は、受信したタイトルキーがサーバに記憶されたものと一致し、かつ、受信したディスク
種別情報がＤＶＤ−ＲＯＭである場合にディスクが正規なディスクであると判断し、接続
が成功した旨の応答信号をネットワークインターフェイス７に送信し、接続が確立される
（ステップＳ５）。上記以外の場合は接続が失敗した旨の応答信号をネットワークインタ
ーフェイス７に送信し、接続は確立されない。ディスク種別情報がＤＶＤ−ＲＯＭ以外の
記録系ディスクは不正コピーがされたディスクとして接続が禁止される。
【００２７】
ステップＳ５で差分フレーム配信サーバ１３と接続後、ステップＳ６でユーザがＤＶＤ
ビデオプレーヤ１の操作部（不図示）で再生開始操作を行うと、ディスクが通常再生され
る。
【００２８】
ＤＶＤフロントエンド２がディスクから読み取った暗号化されたＳＤ画像フレームは記
憶部３に一旦蓄積され順次、暗号復号化部４へ送出される。暗号復号化部４は受信した暗
号化されたＳＤ画像フレームを前述したタイトルキーにより復号し、記憶部３へ送出する
。そして記憶部３には復号されたＳＤ画像フレームが順次蓄積される。
【００２９】
ここでＭＰＥＧ２規格では、映像音声情報を格納するパケットに同期再生のためのタイ
ムスタンプといわれる時間情報を付加され、ストリームが形成され、ディスクに記録され
る。このタイムスタンプには、ＰＴＳ（Presentation Time Stamp：映像出力時刻）とＤ
ＴＳ（Decoding Time Stamp：復号開始時刻）の２種類がある。記憶部３に蓄積された復
号されたＳＤ画像フレームは、順次ＤＴＳの時刻にＳＤ画像伸張部５へ送出され、伸張さ
れる。伸張されたＳＤ画像フレームは画像補正部６で補正され、順次拡大フレーム用記憶
部１０に蓄積される。そして、拡大フレーム用記憶部１０に蓄積されたＳＤ画像フレーム
は順次ＰＴＳの時刻に画像出力部１２を介して表示装置１４へ出力され、表示装置１４に
ＳＤ画像が表示される。
【００３０】
上記の通常再生中にユーザが操作部でＨＤモードへの切替操作を行うと（ステップＳ７
のＹ）、以下のようなＨＤ画像での再生がされる（ステップＳ８）。以下、図３のフロー
に沿ってＨＤモード再生について説明する。
【００３１】
ここで、前述した差分フレーム配信サーバ１３との接続後、ネットワークインターフェ
イス７からテストパケットが差分フレーム配信サーバ１３に送信され、テストパケットの
送信時から差分フレーム配信サーバ１３からの応答までの時間が計測される。この計測し
た時間をネットワーク遅延時間として定義する。また、計測した時間にマージンを付加し
たものをネットワーク遅延時間としてもよい。
【００３２】
通常再生中にユーザが操作部でＨＤモードへの切替操作を行うと（ステップＳ２０）、
その時点の再生時刻にネットワーク遅延時間、および差分フレーム配信サーバ１３から配
信された差分フレームとＳＤ画像フレームとからＨＤ画像フレームを生成するのに要する
時間を付加した時刻の情報であるＨＤ再生タイムスタンプと、差分フレーム配信要求信号
とがネットワークインターフェイス７から差分フレーム配信サーバ１３に送信される（ス
テップＳ２１）。なお、上記ＨＤ画像フレームを生成するのに要する時間は、差分フレー
ム伸張処理時間、ＳＤ画像拡大処理時間、画像合成処理時間等が含まれる。
【００３３】
ここでＭＰＥＧ規格では、ＳＣＲ（Ｓｙｓｔｅｍ  Ｃｌｏｃｋ  Ｒｅｆｅｒｅｎｃｅ）
と呼ばれる基準時間情報が定義されており、以下再生時刻についてＳＣＲを基準に説明す
る。通常再生開始時刻がＳＣＲで００：００：００とし、通常再生開始から３０秒後にＨ
Ｄモードへ切替えられたとする。この時点の再生時刻は００：３０：００である。そして
、上記ネットワーク遅延時間とＨＤ画像フレームを生成するのに要する時間との和を１０
秒とすれば、ＨＤ再生タイムスタンプは００：４０：００となる。
【００３４】
また、ＨＤモードへの切替以降、記憶部３に蓄積された暗号を復号されたＳＤ画像フレ
ームはただちにＳＤ画像伸張部５に送出され伸張され、画像補正部６で補正され、拡大フ
レーム用記憶部１０に蓄積されていく。そして、ＰＴＳが上記ＨＤ再生タイムスタンプ（
００：４０：００）の時刻以降のＳＤ画像フレームも拡大フレーム用記憶部１０に蓄積さ
れる。
【００３５】
差分フレーム配信サーバ１３は、ＨＤ再生タイムスタンプと差分フレーム配信要求信号
を受信すると、ＨＤ再生タイムスタンプの時刻から所定時間分のＰＴＳに対応する差分フ
レームと、それらのＰＴＳとをネットワークインターフェイス７へ配信する。ここで所定
時間分を１秒分とすると、００：４０：００〜００：４１：００のＰＴＳとこれらに対応
する差分フレームとが配信されることになる。
【００３６】
そして、上記のネットワークインターフェイス７から差分フレーム配信要求信号が差分
フレーム配信サーバ１３に送信された時刻（００：３０：００）からネットワーク遅延時
間が経過するまでに、差分フレーム配信サーバ１３から配信された差分フレームおよびＰ
ＴＳをネットワークインターフェイス７が受信すれば（ステップＳ２２のＹ）、受信した
差分フレームを差分フレーム伸張部８に送出し、差分フレームは伸張され、ＰＴＳと共に
差分フレーム用記憶部１１に蓄積される。
【００３７】
そして、拡大フレーム用記憶部１０に蓄積されたＰＴＳがＨＤ再生タイムスタンプ（０
０：４０：００）であるＳＤ画像フレームが拡大合成部９によってＨＤ画像の解像度に拡
大処理される（ステップＳ２３）。
【００３８】
図４に、この拡大処理方法について示す。ＳＤ画像が７２０×４８０の解像度であると
し、ＨＤ画像が１２８０×７２０の解像度であるとする。そして、ＳＤ画像フレーム１６
の画像上方の７２０×３２および画像下方の７２０×４３が黒帯１６であるとする。この
黒帯１６の位置情報は前述した差分フレーム配信サーバ１３との接続認証時に拡大合成部
９が取得している。拡大合成部９は黒帯１６の位置情報に基づきＳＤ画像フレーム１５か
ら黒帯を切り取り、黒帯切り取り後の中間画像フレーム１７をＨＤ画像の解像度であるＨ
Ｄ拡大フレーム１８に拡大する。このとき、中間画像フレーム１７の９×９の画像部分が
ＨＤ拡大フレーム１８の１６×１６の画像部分に対応するよう拡大する必要があるが、こ
こでは一度９×９の画像部分を２倍に拡大して１８×１８の画像部分とし、１８×１８の
画像部分の横方向左から１画素目と１０画素目、および縦方向下から１画素目と１０画素
目を間引き（図中斜線部を間引き）、１６×１６の画素部分とするようにした。１、１０
画素目を間引くようにしたのは、周期的に画素を間引くためである。また、以上の画像拡
大方法は簡易な方法であるため計算の負荷も小さい。
【００３９】
拡大フレーム用記憶部１０に蓄積されたＰＴＳがＨＤ再生タイムスタンプ（００：４０
：００）であるＳＤ画像フレームが拡大合成部９によってＨＤ画像の解像度であるＨＤ拡
大フレームに拡大処理されると、このＨＤ拡大フレームと、上記で差分フレーム用記憶部
１１に蓄積されたＰＴＳがＨＤ再生タイムスタンプ（００：４０：００）である差分フレ
ームとが拡大合成部９によって合成処理される（ステップＳ２４）。差分フレームは、Ｈ
Ｄ画像フレームと、ＳＤ画像フレームを拡大したＨＤ拡大フレームとの差分情報であるの
で、拡大合成部９の合成処理によってＨＤ画像フレームが生成される。生成されたＨＤ画
像フレームは一旦、拡大フレーム用記憶部１０に蓄積され、ＰＴＳの時刻（００：４０：
００）になると画像出力部１２を介して表示装置１４に出力される（ステップＳ２５）。
【００４０】
同様に、拡大フレーム用記憶部１０に蓄積されたＨＤ再生タイムスタンプから所定時間
分のＰＴＳ（００：４１：００まで）に対応するＳＤ画像フレームと、差分フレーム用記
憶部１１に蓄積されたＨＤ再生タイムスタンプから所定時間分のＰＴＳ（００：４１：０
０まで）に対応する差分フレームとが拡大合成部９によって拡大合成処理され、ＨＤ再生
タイムスタンプから所定時間分のＰＴＳ（００：４１：００まで）に対応するＨＤ画像フ
レームが生成される。そしてこれらが拡大フレーム用記憶部１０に一旦蓄積され、ＰＴＳ
の時刻になると順次、画像出力部１２を介して表示装置１４に出力され、表示装置１４に
はＨＤ再生タイムスタンプの時刻から所定時間分（００：４０：００〜００：４１：００
）、ＨＤ画像が表示される。
【００４１】
また、ＨＤモードに切替えた時刻（００：３０：００）から所定時間（差分フレーム配
信サーバ１３が配信する所定時間分の差分フレームの所定時間に相当、ここでは１秒）後
に再び、その時点の時刻（００：３１：００）にネットワーク遅延時間、およびＨＤ画像
フレームを生成するのに要する時間を付加した時刻の情報であるＨＤ再生タイムスタンプ
と、差分フレーム配信要求信号とがネットワークインターフェイス７から差分フレーム配
信サーバ１３に送信される。このときのＨＤ再生タイムスタンプは００：４１：００とな
る。そして、差分フレーム配信サーバ１３は、ＨＤ再生タイムスタンプと差分フレーム配
信要求信号を受信すると、ＨＤ再生タイムスタンプから所定時間分のＰＴＳに対応する差
分フレームと、それらのＰＴＳとをネットワークインターフェイス７へ配信する。ここで
は、００：４１：００〜００：４２：００のＰＴＳとこれらに対応する差分フレームとが
配信されることになる。以後前述と同様に、配信された差分フレームとＳＤ画像フレーム
に基づいて拡大合成処理がされ、ＨＤ再生タイムスタンプの時刻から所定時間分（００：
４１：００〜００：４２：００）のＨＤ画像が表示装置１４に表示される。以降のＨＤ画
像も、所定時間（１秒）毎にＨＤ再生タイムスタンプと差分フレーム配信要求信号とが差
分フレーム配信サーバ１３に送信されることにより、表示装置１４に表示されることにな
る（図３のステップＳ２１〜Ｓ２５の繰り返し）。
【００４２】
また、ネットワークインターフェイス７から差分フレーム配信要求信号が差分フレーム
配信サーバ１３に送信された時刻からネットワーク遅延時間が経過するまでに、差分フレ
ーム配信サーバ１３から配信された差分フレームおよびＰＴＳをネットワークインターフ
ェイス７が受信しなかった場合は（ステップＳ２２のＮ）、ＰＴＳの時刻でのＨＤ画像表
示に間に合わないので、拡大フレーム用記憶部１０に蓄積されたＨＤ再生タイムスタンプ
から所定時間分のＰＴＳに対応するＳＤ画像フレームは拡大合成処理されることなく、Ｐ
ＴＳの時刻に画像出力部１２を介して表示装置１４に出力され、ＨＤ再生タイムスタンプ
の時刻から所定時間は表示装置１４にＳＤ画像が表示される（ステップＳ２６）。なお、
ＳＤ画像フレームをＨＤ拡大フレームに拡大だけして合成処理することなく画像出力部１
２を介して表示装置１４に出力してもよい。
【００４３】
なお、ＨＤモードへの切替時からＨＤ画像が最初に表示装置１４に表示されるまでは（
００：３０：００〜００：４０：００）、拡大フレーム用記憶部１０に蓄積されたＳＤ画
像が順次ＰＴＳの時刻に画像出力部１２を介して表示装置１４に出力され、表示装置１４
にはＳＤ画像が表示される。
【００４４】
次に、ＨＤモード再生中に早送り再生または巻戻し再生する場合について説明する。
【００４５】
ＨＤモード再生中にユーザが操作部で早送りまたは巻戻し再生の開始操作を行うと、拡
大フレーム用記憶部１０、差分フレーム用記憶部１１に格納された情報は消去される。そ
して、ディスクからＤＶＤフロントエンド２で読み取られ、暗号復号化部４で復号され、
記憶部３に蓄積されるＳＤ画像フレームにはＭＰＥＧ２規格で定義されるＩピクチャ、Ｐ
ピクチャ、Ｂピクチャが存在するが、そのうち単独で伸張可能なＩピクチャのみをＳＤ画
像伸張部５で伸張する。そして、伸張されたＩピクチャは画像補正部６で補正され、拡大
合成部９によりＨＤ拡大フレームに拡大処理され、合成処理されることなく、順次画像出
力部１２を介して表示装置１４に出力されることで早送りまたは巻戻しがされる。この間
、ネットワークインターフェイス７から差分フレーム配信要求信号は送信されない。
【００４６】
そして、ユーザが操作部で早送りまたは巻戻し再生の終了操作を行うと、その時点で表
示装置１４に出力されたＨＤ拡大フレームの再生時刻に、ネットワーク遅延時間、および
ＨＤ画像フレームを生成するのに要する時間を付加した時刻の情報であるＨＤ再生タイム
スタンプが、差分フレーム配信要求信号と共にネットワークインターフェイス７から差分
フレーム配信サーバ１２に送信され、以降前述と同様にＨＤモード再生がされる。
【００４７】
なお、以上の実施形態ではＤＶＤビデオプレーヤを例として説明したが、本発明はこれ
に限らず例えばＤＶＤドライブとＰＣからなる再生システムにも適用可能である。
【図面の簡単な説明】
【００４８】
【図１】は、本発明に係るＤＶＤビデオプレーヤ、その周辺装置のブロック図である。
【図２】は、本発明に係るＤＶＤビデオプレーヤのディスク挿入からＨＤ再生までの動作を示すフローチャートである。
【図３】は、本発明に係るＤＶＤビデオプレーヤのＨＤ再生時の動作を示すフローチャートである。
【図４】は、ＳＤ画像のＨＤ画像解像度への拡大処理を示す図である。
【符号の説明】
【００４９】
１    ＤＶＤビデオプレーヤ
２    ＤＶＤフロントエンド
３    記憶部
４    暗号復号化部
５    ＳＤ画像伸張部
６    画像補正部
７    ネットワークインターフェイス
８    差分フレーム伸張部
９    拡大合成部
１０    拡大フレーム用記憶部
１１    差分フレーム用記憶部
１２    画像出力部
１３    差分フレーム配信サーバ
１４    表示装置
【図１】
2006352778.tif 000003
【図２】
2006352778.tif 000004
【図３】
2006352778.tif 000005
【図４】
2006352778.tif 000006